(57)【要約】  本発明はネットワークにおいてデータをレンダリングする方法に関連する。ネットワークは、少なくとも1つのレンダリング装置とモバイル装置とを有する。「フォローミー」方法として知られるこの方法は、レンダリング装置の位置がモバイル装置の位置にリンクされるように、モバイル装置によりレンダリング装置を検出するステップと；モバイル装置により、検出されたレンダリング装置を、少なくとも1つのレンダリング装置の中で識別するステップと；識別されたレンダリング装置でデータをレンダリングするステップとを有する。変形例によれば、モバイル装置はカメラを有し、検出するステップはモバイル装置によりレンダリング装置の画像を取得するステップを有する。本発明は、ネットワークのディスプレイ装置でデータをレンダリングするように形成される関連するモバイル装置にも関連する。
2016506175.tif 000002
【特許請求の範囲】
【請求項１】
少なくとも１つのレンダリング装置とモバイル装置とを有するネットワークにおいてデータをレンダリングする方法であって、
前記レンダリング装置の位置が前記モバイル装置の位置にリンクされるように、前記モバイル装置によりレンダリング装置を検出するステップと、
前記モバイル装置により、検出されたレンダリング装置を、前記少なくとも１つのレンダリング装置の中で識別するステップであって、識別されるレンダリング装置は前記データがレンダリングされるレンダリング装置である、ステップと、
前記データがレンダリングされるレンダリング装置として識別されたレンダリング装置を表す情報項目を前記ネットワークに送信するステップと、
を有する方法。
【請求項２】
前記検出するステップが、前記モバイル装置により前記レンダリング装置の少なくとも画像を取得するステップを含む、請求項１に記載の方法。
【請求項３】
前記モバイル装置により前記レンダリング装置の画像を取得するステップが、前記モバイル装置の第１の所定のキーをユーザにより押下することにより、又は、前記ユーザにより前記モバイル装置に加えられる第１の所定の動きにより開始される、請求項２に記載の方法。
【請求項４】
前記レンダリング装置を識別するステップが、前記レンダリング装置の画像を決定されたレンダリング装置に関連付けるオブジェクト認識ステップを有する、請求項２又は３に記載の方法。
【請求項５】
各々のレンダリング装置が前記レンダリング装置を表す識別子を有し、前記検出するステップが、前記モバイル装置によりレンダリング装置を表す前記識別子の画像を取得することを含み、前記レンダリング装置を識別するステップは、決定されたレンダリング装置を前記画像に関連付ける前記識別子を認識するステップを含む、請求項２又は３に記載の方法。
【請求項６】
レンダリングされる前記データを予備的に保存するステップを更に有し、前記予備的に保存するステップは、
前記レンダリング装置の位置が前記モバイル装置の位置にリンクされるように、前記モバイル装置によりレンダリング装置を検出するステップと、
前記モバイル装置により、検出されたレンダリング装置で表示されるデータを保存するステップと、
を有する請求項１〜５のうち何れか１項に記載の方法。    
【請求項７】
レンダリングされる前記データを予備的に保存する前記ステップにおける前記レンダリング装置を検出するステップが、前記モバイル装置により前記レンダリング装置の画像を取得するステップを含み、前記取得するステップは、前記モバイル装置の第２の所定のキーをユーザにより押下することにより、又は、前記ユーザにより前記モバイル装置に加えられる第２の所定の動きにより開始される、請求項３に従属する請求項６に記載の方法。
【請求項８】
表示される前記データを予備的に保存するステップが、検出されたレンダリング装置における前記データのレンダリングを停止するステップを含む、請求項６又は７に記載の方法。
【請求項９】
前記モバイル装置がレンダリング装置を有し、表示される前記データを予備的に保存するステップが、前記モバイル装置の前記レンダリング装置における前記データのレンダリングを含む、請求項６〜８のうち何れか１項に記載の方法。
【請求項１０】
前記レンダリング装置の位置に対する前記モバイル装置の位置が変わった場合に、前記検出するステップ、前記識別するステップ及び前記送信するステップが反復される、請求項１〜９のうち何れか１項に記載の方法。
【請求項１１】
前記モバイル装置により、検出されたレンダリング装置を表す情報項目を前記ネットワークの装置に送信するステップを更に有する請求項１〜１０のうち何れか１項に記載の方法。
【請求項１２】
ネットワークにおいてデータをレンダリングするように形成されるモバイル装置であって、前記ネットワークは少なくとも１つのレンダリング装置と前記モバイル装置とを有し、前記モバイル装置は、
前記レンダリング装置の位置が前記モバイル装置の位置にリンクされるように、レンダリング装置を検出するモジュールと、
検出されたレンダリング装置を、前記少なくとも１つのレンダリング装置の中で識別するモジュールと、
識別されたレンダリング装置を表す情報項目を前記ネットワークに送信するモジュールと、
を有するモバイル装置。
【発明の詳細な説明】
【技術分野】
【０００１】
本発明は通信ネットワークの技術分野に関連する。特に、本発明はネットワークにおいてデータをレンダリングする方法に関連する。
【背景技術】
【０００２】
ホームネットワーク、ローカルネットワーク(LAN)或いは更に広義には通信ネットワークは互いに通信することが可能な装置を有する。非限定的な具体例として、ホームネットワークの装置は、パーソナルコンピュータ、コネクテッドテレビジョンセット(connected  television  set)、アクセスモデム、ディジタルデコーダ、モバイル電話機(場合によっては、「スマートフォン」形式の電話機)、パーソナルディジタルアシスタント(PDA)、電子タブレット、ゲームコンソール又は無線キーボードである。
【０００３】
ユーザは、ネットワークに保存されるオーディオ又はビデオコンテンツのアイテムを、例えばリビングルーム等のテレビジョンセットにおけるスクリーンやディジタルデコーダにおいてレンダリングすることが可能である。一般に、ユーザは、レンダリングコマンドを入力するために、2つの装置のうちの一方のリモートコントロールを利用する。ユーザが複数の部屋に分散する複数のスクリーンを有する場合において、ユーザが部屋を変える場合に、ユーザは、第1スクリーンで鑑賞しているオーディオ又はビデオコンテンツのスクリーンを変更することを希望するかもしれない。その例において、ユーザがリビングルームからベッドルームに移動すると、コンテンツは、リビングルームのテレビジョンセットではもはや表示されず、ベッドルームの装置で表示される。この機能は、「フォローミー(follow-me)」と呼ばれる。2つの種類の「フォローミー」が知られており、それらは、リモートコントロールによって制御される「フォローミー」と完全に自動的な「フォローミー」である。第1ケースの場合、ユーザは、メニューを閲覧し、リビングルームのリモートコントロールを利用して或る通知を行うためにコマンドを入力する必要があり、その通知はユーザがリビングルームのスクリーンにおける表示の中断を希望していることを示し、ベッドルームに入ると、ユーザは、第2のリモートコントロールを取り、中断されたコンテンツの表示をベッドルームのスクリーンで再開することを希望している旨の通知を行う。この第1ケースは、例えば、様々な部屋の様々なリモートコントロールで制御される複数のメニュー選択肢により、ユーザにとって複雑で直感的には分かりづらい制御コマンドを利用するという問題を招く。完全に自動的な「フォローミー」のケースでは、ネットワークが、スクリーンの前にユーザが存在することを検出する。ユーザが部屋を立ち去ると、「フォローミー」機能は、第1スクリーンにおけるコンテンツの提示を自動的に中断することができる。そして、ユーザが別の部屋に移動し、新たなスクリーンの前に位置すると、ネットワークは、その新たなスクリーンの前にいるユーザを検出し、ユーザが鑑賞していたコンテンツを表示する。しかしながら、このケースはいくつもの実現性の問題を提起し、特に、ユーザの認識、ユーザが視聴している確認されるコンテンツアイテム(コンテンツ項目)との関連付け、或いは、スクリーンの前に複数のユーザが存在する場合に「追従すべき(to  be  followed)」ユーザの選択/識別などに関する問題である。
【０００４】
更に、完全に自動的である又はリモートコントロールにより制御される「フォローミー」機能と様々な形態が組み合わせられることも可能である。有利な第1形態によれば、コンテンツの表示は、第1スクリーンで中断した時点で第2スクリーンで再開される。例示的な第2形態によれば、コンテンツはスポーティング終了(sporting  completion)によるライブブロードキャストであり、好ましくは、スクリーンに表示されるか否かによらず、コンテンツライブ(content  live)に従うこと、すなわち、コンテンツが連続的に再生される。従って、ユーザが移動して部屋を移る最中に、ユーザは番組を見ることができない。
【０００５】
更に、スマートフォンやタブレット等のようなモバイル装置がホームネットワーク内にますます活発に参入しつつあることに留意を要する。従って、モバイル電話機は、テレビジョンセット又はデコーダのようなネットワークの装置に関するリモートコントロールとして機能し、及び、オーディオ及び/又はビデオコンテンツのソース又はストレージとしても機能し得ることに留意を要する。ユーザは、例えば、ネットワークのスクリーンでビデオをストリーミングすること等のような、ホームネットワークの特定の装置における処理を、モバイル電話機から開始することが可能である。そのような電話機における様々なアプリケーションは、例えばタッチスクリーンにより、ユーザの観点から簡易で直感的に分かりやすいグラフィックインタフェース及び制御コマンドを利用する。従って、モバイル電話機により制御される簡易で直感的に分かりやすい「フォローミー」手段が望まれる。
【０００６】
更に、「フォローミー」機能は今のところオーディオ/ビデオコンテンツに関連しているが、より一般的にユーザは様々なスクリーンにコンテンツを転送してよいことが予想される。コンテンツは、ビデオゲーム、ユーザプロファイル、ユーザ環境(例えば、ユーザのウィンドウズ(登録商標)環境)又はサービス(例えば、マルチキャストストリームに対する加入)の形式であってもよい。
【０００７】
従って、ネットワークにおける「フォローミー」機能についての上述の実現性の問題に対処する手段が望まれる。
【発明の概要】
【０００８】
従って本発明の目的は特にそのような状況を改善することであり、より具体的には、モバイル装置による「フォローミー」機能の利用を直感的に分かりやすくユーザフレンドリにすることである。
【０００９】
この目的のため、本発明は特に少なくとも1つのレンダリング装置とモバイル装置とを有するネットワークにおいてデータをレンダリングする方法を提案する。この方法は以下の事項により特徴付けられ、本方法は、前記レンダリング装置の位置が前記モバイル装置の位置にリンクされるように、前記モバイル装置によりレンダリング装置を検出するステップと、前記モバイル装置により、検出されたレンダリング装置を、前記レンダリング装置の中で識別するステップと、前記データがレンダリングされるレンダリング装置として識別されたレンダリング装置を表す情報項目を前記ネットワークに送信するステップと、識別されたレンダリング装置でデータをレンダリングするステップとを有し、最後のステップはネットワークで実行される。有利なことに、リンクは、モバイル装置及びレンダリング装置のそれぞれの空間的な位置を指す。
【００１０】
本発明による方法は、個別的に又は組み合わせて使用されることが可能な他の特徴を有することも可能であり、それらは特に以下の特徴を含む：
・モバイル装置が画像を撮影できるカメラを有すること；
・前記検出するステップが、前記モバイル装置により前記レンダリング装置の少なくとも１つの画像を取得するステップを含むこと；
・前記モバイル装置により前記レンダリング装置の画像を取得するステップが、前記モバイル装置の第１の所定のキーをユーザにより押下することにより、又は、前記ユーザにより前記モバイル装置に加えられる第１の所定の動きにより開始されること；
・前記レンダリング装置を識別するステップが、前記レンダリング装置の画像を決定されたレンダリング装置に関連付けるオブジェクト認識ステップを有すること；
・各々のレンダリング装置が前記レンダリング装置を表す識別子を有すること；
・前記検出するステップが、前記モバイル装置によりレンダリング装置を表す前記識別子の画像を取得することを含み、前記レンダリング装置を識別するステップは、決定されたレンダリング装置を前記レンダリング装置の前記画像に関連付ける前記識別子を認識するステップを含むこと；
・表示されるデータを予備的に保存するステップが、前記レンダリング装置の位置が前記モバイル装置の位置にリンクされるように、前記モバイル装置によりレンダリング装置を検出するステップと、前記モバイル装置により、検出されたレンダリング装置で表示されるデータを保存するステップとを有すること；
・表示される前記データを予備的に保存する場合における前記レンダリング装置を検出するステップが、前記モバイル装置により前記レンダリング装置の画像を取得するステップを含むこと；
・前記取得するステップは、前記モバイル装置の第２の所定のキーをユーザにより押下することにより、又は、前記ユーザにより前記モバイル装置に加えられる第２の所定の動きにより開始されること；
・第１及び第２のジェスチャにそれぞれ関連する第１及び第２のボタンは同一であってもよいし或いは異なっていてもよいこと；
・表示される前記データを予備的に保存するステップが、検出されたレンダリング装置における保存されたデータのレンダリングを停止するステップを含むこと；
・前記モバイル装置がレンダリング装置を有し、表示される前記データを予備的に保存するステップが、前記モバイル装置の前記レンダリング装置における保存されたデータのレンダリングを含むこと；
・前記レンダリング装置の位置に対する前記モバイル装置の位置が変わった場合に、前記検出するステップ、前記識別するステップ及び前記送信するステップが反復されること；
・前記モバイル装置により、検出されたレンダリング装置を表す情報項目、又は、識別されたレンダリング装置を表す情報項目を前記ネットワークの装置に送信すること。
【００１１】
本発明は、何れかの請求項に記載される方法を実行するモバイル装置も提案する。
【００１２】
そのようなモバイル装置は、例えば、スマートフォン、パーソナルディジタルアシスタント、電子タブレット又は専用対象物の形態であってよい。
【００１３】
様々なモジュールは、例えば、モバイル装置で実現可能であるだけでなく、通信ネットワークにおける分散形態で実現されてもよい(例えば、クラウドが利用されてもよい)。
【図面の簡単な説明】
【００１４】
【図１】レンダリング装置及びモバイル装置を有し、本発明の実施形態による方法を利用する住居を図式的に示す。
【図２】本発明の実施形態によるレンダリング方法を使用するディスプレイ装置及びモバイル装置を図式的に示す。
【図３】本発明の別の実施形態によるレンダリング方法を使用する2つのレンダリング装置及びモバイル装置を図式的に示す。
【図４】本発明の実施形態によるレンダリング方法を図式的に示す。
【図５】本発明の別の実施形態によるレンダリング方法を図式的に示す。
【発明を実施するための形態】
【００１５】
本発明による他の特徴及び利点は、以下の詳細な説明及び添付図面により更に明らかになるであろう。
【００１６】
添付図面は本発明を補足するだけでなく必要に応じて明確性にも貢献するように利用されてよい。
【００１７】
本発明の目的は、通信ネットワークにより接続される何れかのレンダリング装置A1，A2又はA3においてモバイル装置D(例えば、モバイル電話機、或いは、専用の装置)を利用してデータをレンダリングする方法(「フォローミー」方法と言及される)を提案することである。
【００１８】
図1は、通信ネットワークにより接続されるレンダリング装置及びモバイル装置を有する住居を図式的に示し、そこでは本発明の実施形態による方法が使用される。一実施形態では、コンテンツは、フィルム、映画、写真などのような視覚的なコンテンツであり、レンダリング装置はディスプレイ装置(表示装置)である。変形例では、コンテンツは音楽のようなオーディオコンテンツであり、レンダリング装置はディスプレイ装置又はオーディオ装置(音響装置)である。以下の説明において、レンダリング装置はディスプレイ装置である。レンダリング装置A1,A2,A3はそれぞれベッドルーム1、リビングルーム2及び書斎3のように住居の異なる部屋に分散されている。以下において、ディスプレイ装置は、スクリーン(又は画面)又はテレビジョンセット等と言及されてもよい。ある部屋から別の部屋へ移動するユーザは、確認される部屋のスクリーンの前にユーザが位置付けられること、及び、ユーザは、別の部屋の別のスクリーンにおいて、かつて鑑賞していたコンテンツを希望していることをネットワークに通知し、ユーザに従って、確認される部屋でユーザが正面に位置するスクリーンで新たに提示されるようにすることが可能である。例えば、ユーザはリビングルーム2にいる。ユーザはテレビジョンセットA2でテレビジョン番組を鑑賞している。特定の実施形態によれば、ユーザは、テレビジョンセットA2の前に位置するモバイル電話機により特定の運動又はアクション(あるいは、操作、手順)を実行することにより、テレビジョン番組を保存する。変形例によれば、このストレージ(保存又は記録)の後に、テレビジョンセットA2に保存される番組の表示の停止が続いてもよい。次に、ユーザはベッドルーム1の別のテレビジョンセットA1の前に移動する。再び特定の実施形態によれば、ユーザは、テレビジョンセットA1の前に位置するモバイル電話機により特定の運動又はアクションを実行することにより、同じテレビジョン番組をテレビジョンセットA1で表示することを指示(又は命令)する。第1変形例において、ユーザがリビングルーム2からベッドルーム1へ移動する場合に、ユーザは、自身のモバイル装置のスクリーンでテレビジョン番組を視聴し続けてもよい。第2変形例において、ブロードキャスト(又は放送)される番組が、ネットワークの装置(例えば、ディジタルテレビジョンデコーダ)に一時的に保存される。テレビジョンセットA1における番組の表示は、ユーザによる部屋の移動の後に、少し遅れて再開する。第3変形例では、テレビジョンセットA1における番組の表示は、ユーザによる部屋の移動の後にライブ(live)で再開する。従って、ユーザは、「フォローミー」を実現するための2つのテレビジョンセットの前にあるモバイル電話機により実行される動作と動作の間の期間に対応する番組期間を見逃す。
【００１９】
以下においては、非限定的な具体例として、通信ネットワークRは、特にxDSLアクセスネットワークによりインターネットネットワークに接続されるホームネットワークであると考える。通信ネットワークRは、ケーブル又はファイバ形式の有線ネットワーク、ワイヤレスローカルエリアネットワーク(WLAN：場合によっては、802.11(又はWi-Fi)或いはWiMAX形式であってもよい)無線ローカルネットワーク、ブルートゥース(登録商標)形式の近距離無線ローカルネットワーク、或いは、ハイブリッドネットワークとすることが可能である。ホームネットワークは、非限定的な例として、パーソナルコンピュータ、コネクテッドテレビジョンセット、アクセスモデム、ディジタルデコーダ、モバイル電話機(場合によっては、「スマートフォン」形式の電話機)、パーソナルディジタルアシスタント(PDA)、電子タブレット、ポータブルメディアプレーヤ、ワイヤレスキーボード又はゲームコンソールである。変形例において、モバイル電話機は、例えばWi-Fi通信インタフェースによりネットワークに接続される。そして、モバイル電話機は、移動機のスクリーンに提示するために例えばTVストリームのようなオーディオ/ビデオコンテンツを受信することが可能である。モバイル電話機は、例えば、ウェブページやマルチキャストの申し込みに対応するユニフォームリソースロケータ(URL)を表すデータを受信することも可能である。モバイル電話機は、選択されるスクリーンにおける表示のために、例えばURLのようなビデオコンテンツを示すデータを送信することも可能である。しかしながら、本発明はこの種のホームネットワークには限定されない。実際、(例えば、3G形式のような)セルラ形式のネットワークに接続される無線ローカルネットワークに関連してもよく、そのローカルネットワークは、モバイル電話機が表示されるべきデータを例えばURLの形式で保存することが可能な固定ディスプレイ装置を有し、モバイル装置が無線ローカルエリアネットワークのカバレッジエリア外に出る場合に、モバイル電話機は、セルラネットワークを介して送信されるその時点から選択されるデータを表示し続ける。
【００２０】
更に、以下においては、非限定的な例として、モバイル装置Dはスマートフォンであることが想定される。しかしながら、本発明はこの種の装置には限定されない。実際、ディスプレイ装置を検出し、検出されるディスプレイ装置での表示を起動するためにローカルネットワークと通信するための処理を行うことが可能な任意のタイプの無線装置に関連してもよい。従って、装置は、例えば、電子タブレット、パーソナルディジタルアシスタント(PDA)、ポータブルゲームコンソール、ポータブルメディアプレーヤ、スマートカメラ、又は、図3で立方体形状で示されるような専用装置に関連してもよい。以下において、モバイル装置はモバイル電話機又は移動機と言及されてもよい。
【００２１】
ネットワークは、少なくとも1つのディスプレイ装置と、モバイル電話機に関するものである第2のディスプレイ装置とを有することも想定される。代替的に、ネットワークが少なくとも2つのディスプレイ装置を有し、モバイル電話機を利用して一方から他方へ表示を指図することも想定される。ディスプレイ装置は、例えば、有線(例えば、HDMI（登録商標）を介する)又は無線リンクにより又はホームネットワークの仲介手段により、ネットワークの通信装置に直接的に接続されるコンピュータスクリーン又はテレビジョンセットである。以下において、ディスプレイ装置はスクリーン又はテレビジョンセットと言及されてもよい。
【００２２】
モバイル装置にセンサが取り付けられる。以下において、非限定的な例として、センサは静止画カメラ又はより一般的なカメラであることが想定される。有利なことに、この実施形態は、この種のセンサを組み込む大半のモバイル電話機と広く互換性がある。しかしながら、本発明はこの種のセンサに限定されない。実際、多少なりとも処理を行う任意のタイプのセンサに関連してよく、そのセンサは、対象を検出し、すなわち、様々な変形例によれば、対象の形状(スクリーンの特定の領域に関する輪郭(parallelpiped))を判定し、対象の環境(例えば、スクリーンが配置される部屋)を判定し、対象により提供される識別子(例えば、それを認識するために移動機のコマンドで表示される識別子)を判定してもよいし、或いは、ディスプレイ装置により生成される音に挿入されるオーディオウォーターマーク信号(audio  watermark  signal)により表現される識別子を判定させることが可能なサウンドセンサ(例えば、マイクロフォン)であってもよい。選択的に、センサ自体が例えば近距離無線通信(NFC)技術を利用してローカルネットワークの装置と通信してもよい。非限定的な例として、センサは、カメラ、マイクロフォン又はペリフェラル(周辺装置)とすることが可能である。選択的に、例えば、加速度計、ジャイロメータ或いは慣性測定装置のような種類の第2センサが装置に取り付けられてもよい。この第2センサは、移動機に加えられる動きを検出することを可能にする。この第2センサは、タッチスクリーン技術に関連又はリンクされることが可能であり、移動機のタッチスクリーンに加えられる押圧(押下)操作を検出することを可能にする。
【００２３】
更に、以下においては、非限定的な例として、表示されるデータは、オーディオ/ビデオコンテンツアイテムを表すデータであることが想定される。しかしながら、本発明はこの種のデータに限定されない。実際、表示する環境又は状況(コンテキスト)に関する任意のタイプのデータ、すなわち、ディスプレイ装置が使用される全ての状況に関連する。非限定的な例として、コンテキストは、ビデオゲーム、場合によってはユーザの権限に関連するユーザプロファイル、ユーザ環境(例えば、ユーザのウィンドウズ環境)、或いは、サービス(例えば、マルチキャストストリームの申し込み)の形式であってもよい。
【００２４】
図2は、本発明の一実施形態を実現するディスプレイ装置A及びモバイル装置Dのようなレンダリング装置を図式的に示す。ディスプレイ装置A及びモバイル装置Dは通信ネットワークRを介して接続される(従ってそれらは通信ネットワークRの一部でもある)。カメラCはモバイル電話機Dに関連付けられる。有利なことに、対象の認識のような所定のタスクは、ローカルネットワーク又はインターネット(クラウド)に分散して割り振られてもよい。スクリーンA検出コマンドの入力は、例えば、ユーザが下向きの半円状の動きをモバイル電話機に与える簡易なジェスチャG1により実行される。スクリーンAの図形コンテキストのデータを選択するためのスクリーンA検出コマンドの入力は、例えば、ユーザが上向きの半円状の動きをモバイル電話機に与える簡易なジェスチャG2により実行される。これら2つのジェスチャは、それぞれ、ユーザが正面に位置するスクリーンに表示されるべきコンテキスト(コンテンツ)を配置すること、及び、スクリーンに現在表示されているコンテキスト(コンテンツ)を取得すること、を直感的に分かりやすく意味する。有利なことに、カメラは、画像が鮮明であって画像処理に相応しいものであるように、例えば動きの終わる時点で、明確に決定された時間遅延に従って写真を撮影する。しかしながら、本発明はこの実施形態に限定されない。実際、ユーザは自身のモバイル電話機に適用することが可能な任意のタイプの操作に関連してよい。非限定的な例として、ユーザの操作又はアクションは、電話機における専用のキーを押下すること、電話機のタッチスクリーン上の専用の領域を押下すること、電話機に加えられる振動のような特定の動き、電話機を水平又は垂直に配置すること、又は、スマートフォンをスクリーンの方に持ってゆくことであってもよい。
【００２５】
図3は、本発明の一実施形態によるレンダリング方法を実行する2つのディスプレイ装置A1,A2及びモバイル装置Dを図式的に示す。モバイル装置Dは、例えばキューブ(cube)と呼ばれる立方体形状の専用の対象物である。スクリーンA1は、ユーザがスクリーンA2に転送することを希望する例えばプロファイルのようなデータを提示することが、想定される。第1変形例では、キューブDは第1ボタンB1(又はキー)及び第2ボタンB2を有する。ユーザがスクリーンA1に提示されるプロファイルを保存することを希望する場合、ユーザはボタンB1を押下する。そして、ユーザがスクリーンA2でプロファイルを表示することを希望する場合、ユーザはスクリーンA2の前までキューブとともに移動し、ボタンB2を押下する。ボタンB1及びB2はキューブDの2つの対向する面に個別的に配置され、或いは、更なる実施形態によれば、ボタンB1及びB2は同一であり(1つのボタンBしか存在せず)、ボタンを押下すると、データを保存する処理及び保存されたデータを表示する処理を交互に開始する(例えば、トークンを用いて実行される)。第2変形例によれば、キューブDはボタンを備えておらず、キューブが配置される面を(キューブの向き)を判定することが可能な加速度計タイプのセンサが備わっていてもよい。ユーザがスクリーンA1に提示されるプロファイルを保存することを希望する場合、ユーザは面B1を上向きに配置する。ユーザがスクリーンA2でプロファイルを表示することを希望する場合、ユーザは反対の面B2を上向きに配置する。更なる実施形態によれば、2つの面B1及びB2は区別されず(差異はなく)、面を反対の面の方に回転させると、データを保存する処理及び保存されたデータを表示する処理を交互に開始する(例えば、トークンを用いて実行される)。有利なことに、キューブDはセンサCを有し、センサCは例えばスクリーンA1又はA2を検出するように形成されるカメラのような形式であってよい。有利なことに、キューブDはWi-Fiインスタンス(図示せず)を有し、オブジェクト(対象物)がネットワークの装置と通信できるようにする。有利なことに、キューブDは加速度計(図示せず)を有し、対象物の向きを判定でいるようにする。有利なことに、キューブDはインジケータTを有し、インジケータTは、例えばLED形式であり、データ保存情報(すなわち、トークン)を表現する。コンテンツアイテムが保存される場合にはLEDはオン(on)であり、そうでない場合にはオフ(off)である。
【００２６】
本発明を利用するシステムは、ソフトウェア(又はコンピュータ)モジュールの形式で実現されることが可能であり、或いは、ネットワークの様々な装置に分散されるソフトウェアモジュール及び電子回路の組み合わせの形式で実現されることも可能である。システムは、レンダリング装置、モバイル装置、及び、モバイル装置又はネットワークの他の装置に関連付けられる機能要素を有する(例えば、モバイル電話機においてCPUに負担をかける対象認識のような所定の機能を分散するような場合である)。
【００２７】
機能要素(又は機能コンポーネント)は次のとおりである：
・移動機の前にあるスクリーンを検出するセンサ。一実施形態によれば、センサは静止画カメラ又はカメラであり；センサの前方に配置されるスクリーンの画像を生成する。
【００２８】
・センサから取り出される情報を認識及び処理するモジュール。一実施形態によれば、認識及び画像処理モジュールの結果は、検出されるスクリーンとデータベース中の対象物との間の照合(結果)である。変形例によれば、画像処理は、スクリーンの正面画像のシグネチャ(signature)を利用し、例えば、シグネチャは、異なるレンダリング装置を区別する視覚的な特徴(属性)を有する。別の変形例によれば、画像処理は、各々のレンダリング装置に関連する固有の識別子IDを利用し、装置で継続的に表示してもよいし、或いは、モバイル電話機からの要求に応じて装置により提供されてもよい。
【００２９】
・例えば、Wi-Fi又はブルートゥースインタフェースのように、ローカルネットワークにデータを送信し及びそこからデータを受信する通信モジュール。有利なことに、対象物が認識されてスクリーンに関連付けられると、通信モジュールを利用して、認識結果がネットワークに送信され、そこに保存されるデータの再生が可能になる。
【００３０】
・タッチパッド又はボタンのように、第1センサ又は通信モジュールのようなモジュールの動作を開始するためにユーザの動きを検出する方向センサ(又は加速度計)。
【００３１】
本発明は、モバイル装置によりレンダリングを行う方法の観点からも考察可能であり、特に、上記のタイプのモバイル装置を用いて実現されることも可能であることに留意すべきである。本発明による方法を実現することにより享受される特徴は、装置Dにより享受されるものと同様であり、本方法により享受される主な特徴の組み合わせが以下に説明される。
【００３２】
図4は本発明の一実施形態によるレンダリング方法を図式的に示す。
【００３３】
初期状態において、スクリーン及びモバイル装置(移動機)はアイドル状態である。選択的に、スクリーンは、アイドル状態ではなく、ユーザが表示することを希望するものとは異なるコンテンツアイテムを表示していてもよい。
【００３４】
第1ステップE41において、ユーザは自信の電話機をスクリーンの近くに持って行き、ユーザは「フォローミー」タイプのコンテンツ表示コマンドを入力することを希望している。従って、表示スクリーンの位置は、電話機の位置にリンクされる。一実施形態の検出法によれば、ユーザが、自身の電話機のキー又はタッチ領域を押下する場合、或いは、加速度計のタイプの第2センサにより認識される動きを加える場合に、スクリーンの写真が撮影される。変形例によれば、視覚的なタグの形式の識別子が、スクリーン上に与えられ、その画像が取得される(或いは、例えば、オーディオセンサの場合には音のタグ(サウンドタグ)が使用されてもよいし、或いは、NFCセンサの場合にはRFIDタグが使用されてもよい)。この識別子はスクリーンに永続的又は一時的に提示されることが可能であり；例えば、写真を撮影する前に、電話機が、家中の全てのスクリーンに識別子表示リクエスト(識別子表示要求)を送信し、そして、識別子表示コマンドが実行可能な何らかの方法で所定時間の後に、電話機がスクリーンの写真を自動的に取得する。スクリーンの画像は、選択的に識別子とともに、検出するステップの終わりに利用可能になる。
【００３５】
第2ステップE42において、表示コマンドを指図するために、検出されたスクリーンが識別され選択される。画像センサに基づく実施形態によれば、画像処理及びオブジェクト認識モジュールが、その画像に適用され、ローカルネットワークのスクリーンのリストの中で、その画像に関して検出されたスクリーンを判別する。変形例によれば、画像の識別子が確認される。別の変形例によれば、カメラ以外のセンサ(例えば、NFCセンサ、マイクロフォン)により検出される識別子(例えば、RFIDタイプの識別子、或いは、オーディオウォーターマークのタイプの識別子)が確認される。従って、処理は、使用されるセンサの出力における情報に適用される。有利なことに、モバイル電話機は、住居内の(すなわち、ホームネットワーク内の)スクリーンのリストを自身のメモリに保存する。変形例によれば、モバイル電話機は、選択されたスクリーンを示す情報項目をネットワークを介して送信する。別の変形例によれば、例えば取得された画像のようなセンサの出力における情報は、ネットワークを介して送信され、センサの情報の中にあるスクリーンの識別子が、ネットワークの中で分散されるように搬送される。このステップの終了時点において、モバイル電話機を検出及び識別の手段として使用して、ユーザにより選択されるスクリーンが決定される。
【００３６】
最後に、第3ステップE43において、データが、選択されたスクリーンに表示される。例えば、モバイル電話機は、装置の識別子及び表示コマンドを含むリクエストを、通信モジュールを介して送信する。変形例によれば、このリクエストは識別のステップの間に送信される。有利なことに、いったんコマンドが入力されると、ユーザは自身のモバイル電話機を下に置くことができる。選択されたスクリーンは、コンテンツを表示し、本方法は初期状態に戻る。
【００３７】
図5は、本発明の別の実施形態による表示方法を図式的に示す。この実施形態では、本方法は、表示されるべきデータを保存する予備的ステップを有する。以下において、データのストレージにより、スクリーンにより現在提示されるものの情報を共有すること、及び、上述した方法により、ユーザがディスプレイに指図すると速やかにスクリーン背景として提示される環境又はユーザプロファイルをモバイル装置のメモリに保存することの双方が理解される。
【００３８】
初期状態において、スクリーンは、選択されるスクリーンで表示するためにユーザが転送することを希望するデータを表示している。
【００３９】
初期ステップE51において、ユーザは、スクリーンの近くに自身の電話機を持って行き、ユーザはそのスクリーンにおけるデータ(例えば、コンテンツ、オーディオ/ビデオコンテンツ、又は、TV番組)を保存しようとしている。データ表示スクリーンの位置は、電話機の位置にリンクされる。検出ステップE41に関して上述したような任意のタイプのセンサ又は情報検出部が、この実施形態でも利用可能である。選択的に識別子とともに、スクリーンの画像が検出ステップの終わりに利用可能になる。
【００４０】
第2ステップE52において、検出されたスクリーンに提供されるデータが識別及び保存され、以後の表示コマンドのためのパラメータを設定する。有利なことに、モバイル電話機はスクリーンを有し、保存されるデータはモバイル電話機のスクリーンに提供される。有利なことに、移動機がローカルネットワークのカバレッジエリア外に出ると、例えば3Gタイプのようなセルラ形式のネットワークを介してデータを受信する。このステップの終了時点において、これらのデータを表す情報又はデータはユーザのモバイル電話機に保存される。有利なことに、ストレージステップの終了時点において、検出されるディスプレイ装置は、保存されるデータを表示することを停止する。
【００４１】
モバイル電話機がスクリーンを有する場合の変形例によれば、第3ステップE53において、例えばビデオストリームのような保存されるデータは、モバイル電話機のスクリーンに提供される。有利なことに、表示されるデータは、(例えば、Wi-Fi通信により)ローカルネットワークにより、その後は3Gセルラタイプのネットワークにより、モバイル電話機に継続的に送信され、移動機がローカルネットワークのカバレッジエリアを去る場合に、ローカルネットワークから引き継がれる。
【００４２】
第4ステップE54において、ユーザは自信の移動機とともに移動し、新たなスクリーンの前に位置し(移動機のスクリーンにおける表示ステップが実行される場合と同様であってもよい)、保存されたデータを転送してそれらのデータを新たなスクリーンで表示しようとしている。
【００４３】
ステップE55ないしE57の間に、図3に関連して上述したステップE41ないしE43が反復される。有利なことに、保存されたデータは選択されたスクリーンで表示される。有利なことに、モバイル装置は、選択されたスクリーンを示す情報と保存されたデータを示す情報とを、通信インタフェースを介して、ネットワークの装置に送信する。有利なことに、保存されたデータを表示するコマンドがいったん入力されると、ユーザは自信のモバイル電話機を下に置いてよい。選択されたスクリーンは保存されたコンテンツを表示し、本方法は初期状態に戻る。
【００４４】
本発明は、有利なことに、ユーザのアクションがネットワークにより認識される感覚をユーザに持たせることが可能になり、その理由は、アクションは、非常に直感的に分かりやすく、ユーザにリンクされかつユーザが常に所有するスマートフォンのようなモバイル装置により指図されるからである。
【００４５】
本発明は、非限定的な具体例として示されるに過ぎない上記のモバイル装置、ネットワークディスプレイ装置及び表示方法には限定されず、添付の特許請求の範囲内で当業者に認められる全ての変形例も包含する。
【図１】
2016506175.tif 000003
【図２】
2016506175.tif 000004
【図３】
2016506175.tif 000005
【図４】
2016506175.tif 000006
【図５】
2016506175.tif 000007
【手続補正書】
【提出日】平成27年6月30日(2015.6.30)
【手続補正１】
【補正対象書類名】特許請求の範囲
【補正対象項目名】全文
【補正方法】変更
【補正の内容】
【特許請求の範囲】
【請求項１】
少なくとも１つのレンダリング装置とモバイル装置とを有するネットワークにおいてデータをレンダリングする方法であって、
前記モバイル装置によりレンダリング装置を検出するステップであって、前記モバイル装置により前記レンダリング装置の少なくとも画像を取得する、ステップと、
前記モバイル装置により、検出されたレンダリング装置を、データをレンダリングするために、前記少なくとも１つのレンダリング装置の中で識別するステップと、
レンダリングするためのレンダリング装置として識別されたレンダリング装置を表す情報項目を前記ネットワークに送信するステップと、
を有する方法。
【請求項２】
前記モバイル装置により前記レンダリング装置の画像を取得するステップが、前記モバイル装置の第１の所定のキーをユーザにより押下することにより、又は、前記ユーザにより前記モバイル装置に加えられる第１の所定の動きにより開始される、請求項１に記載の方法。
【請求項３】
前記レンダリング装置を識別するステップが、前記レンダリング装置の画像を決定されたレンダリング装置に関連付けるオブジェクト認識ステップを有する、請求項１又は２に記載の方法。
【請求項４】
各々のレンダリング装置が前記レンダリング装置を表す識別子を有し、前記レンダリング装置の前記画像が前記識別子を含み、前記レンダリング装置を識別するステップは、決定されたレンダリング装置を前記画像に関連付ける前記識別子を認識するステップを含む、請求項１又は２に記載の方法。
【請求項５】
レンダリングされる前記データを予備的に保存するステップを更に有し、前記予備的に保存するステップは、
前記モバイル装置によりレンダリング装置を検出するステップと、
前記モバイル装置により、検出されたレンダリング装置で表示されるデータを保存するステップと、
を有する請求項１〜４のうち何れか１項に記載の方法。    
【請求項６】
レンダリングされる前記データを予備的に保存する前記ステップにおける前記レンダリング装置を検出するステップが、前記モバイル装置により前記レンダリング装置の画像を取得するステップを含み、前記取得するステップは、前記モバイル装置の第２の所定のキーをユーザにより押下することにより、又は、前記ユーザにより前記モバイル装置に加えられる第２の所定の動きにより開始される、請求項５に記載の方法。
【請求項７】
表示される前記データを予備的に保存するステップが、検出されたレンダリング装置における前記データのレンダリングを停止するステップを含む、請求項５又は６に記載の方法。
【請求項８】
前記モバイル装置がレンダリング装置を有し、表示される前記データを予備的に保存するステップが、前記モバイル装置の前記レンダリング装置における前記データのレンダリングを含む、請求項５〜７のうち何れか１項に記載の方法。
【請求項９】
前記検出するステップ、前記識別するステップ及び前記送信するステップが反復される、請求項１〜８のうち何れか１項に記載の方法。
【請求項１０】
前記モバイル装置により、検出されたレンダリング装置を表す情報項目を前記ネットワークの装置に送信するステップを更に有する請求項１〜９のうち何れか１項に記載の方法。
【請求項１１】
ネットワークにおいてデータをレンダリングするように形成されるモバイル装置であって、前記ネットワークは少なくとも１つのレンダリング装置と前記モバイル装置とを有し、前記モバイル装置は、
前記レンダリング装置の少なくとも画像を取得するように形成される、レンダリング装置を検出するモジュールと、
検出されたレンダリング装置を、前記データをレンダリングするために、前記少なくとも１つのレンダリング装置の中で識別するモジュールと、
識別されたレンダリング装置を表す情報項目を前記ネットワークに送信するモジュールと、
を有するモバイル装置。
【請求項１２】
前記レンダリング装置の画像を取得することが、前記モバイル装置の第１の所定のキーをユーザにより押下することにより、又は、前記ユーザにより前記モバイル装置に加えられる第１の所定の動きにより開始される、請求項１１に記載のモバイル装置。
【請求項１３】
レンダリングするための前記データをレンダリングするレンダリング装置を更に有する請求項１１又は１２に記載のモバイル装置。
【請求項１４】
レンダリングされる前記データを予備的に保存することが、前記モバイル装置の第２の所定のキーをユーザにより押下することにより、又は、前記ユーザにより前記モバイル装置に加えられる第２の所定の動きにより、前記レンダリング装置の画像を取得することで開始される、請求項１１又は１２に記載のモバイル装置。
【請求項１５】
ネットワークにおいてデータをレンダリングするように形成されるネットワーク装置であって、前記ネットワークは少なくとも１つのレンダリング装置とモバイル装置とを有し、前記ネットワーク装置は、
前記モバイル装置により前記レンダリング装置の少なくとも画像を取得することにより、レンダリング装置を検出するモジュールと、
検出されたレンダリング装置を、前記データをレンダリングするために、前記少なくとも１つのレンダリング装置の中で識別するモジュールと、
識別されたレンダリング装置を表す情報項目を前記ネットワークを介して送信するモジュールと、
を有するネットワーク装置。
【国際調査報告】
2016506175.tif 000008
2016506175.tif 000009
2016506175.tif 000010